(57)【要約】【課題】仕様書の作成時における設計趣旨の入力を支援する。【解決手段】仕様書作成装置は、仕様書を作成する設計画面内に項目を作成した際に、この項目の設計趣旨を入力するための設計趣旨入力欄（評価視点別チェックリスト２及び設計趣旨入力エリア３）を仕様書に重畳して表示する。これにより、ユーザは、項目の設計趣旨を入力することが可能となる。また、作成された仕様書に対して保存が指示された場合、仕様書作成装置は、仕様書データを保存するとともに、項目毎に、設計趣旨入力欄に入力された内容を保存する。【選択図】図２
2015005163.tif 000002
【特許請求の範囲】
【請求項１】
仕様書を作成するための編集画面を表示する編集画面表示手段と、
前記編集画面内で項目が作成された際に、該項目の設計趣旨を入力するための設計趣旨入力欄を前記編集画面に重畳して表示する設計趣旨入力欄表示手段と、
前記編集画面上で編集した仕様書を保存する際に、前記設計趣旨入力欄に入力された設計趣旨を示す設計趣旨データを、対応する前記項目毎に記憶する設計趣旨記憶手段と、
を備えることを特徴とする仕様書作成装置。
【請求項２】
前記設計趣旨入力欄表示手段は、前記編集画面上で仕様書の作成を開始する際に、前記仕様書の基礎とする仕様書の設計趣旨データを前記設計趣旨記憶手段から取得し、表示する前記設計趣旨入力欄に記入する、
ことを特徴とする請求項１に記載の仕様書作成装置。
【請求項３】
前記設計趣旨入力欄が未記入であるときに前記仕様書の保存が指示された際に、その旨を報知する警告メッセージを表示する警告表示手段を備える、
ことを特徴とする請求項１又は２に記載の仕様書作成装置。
【請求項４】
ユーザからの指示に応じて、前記設計趣旨入力欄の表示、非表示を切り替える表示切替手段を備える、
ことを特徴とする請求項１乃至３の何れか１項に記載の仕様書作成装置。
【請求項５】
前記設計趣旨入力欄は、前記項目がどのような評価視点に基づいて記述されたのかを選択させるチェックリストである、
ことを特徴とする請求項１乃至４の何れか１項に記載の仕様書作成装置。
【請求項６】
前記設計趣旨入力欄は、前記項目がどのような設計趣旨に基づいて記述されたのかを入力させるための入力エリアである、
ことを特徴とする請求項１乃至５の何れか１項に記載の仕様書作成装置。
【請求項７】
コンピュータを、
仕様書を作成するための編集画面を表示する編集画面表示手段、
前記編集画面内で項目が作成された際に、該項目の設計趣旨を入力するための設計趣旨入力欄を前記編集画面に重畳して表示する設計趣旨入力欄表示手段、
前記編集画面上で編集した仕様書を保存する際に、前記設計趣旨入力欄に入力された設計趣旨を示す設計趣旨データを、対応する前記項目毎に記憶する設計趣旨記憶手段、
として機能させるプログラム。
【発明の詳細な説明】
【技術分野】
【０００１】
本発明は、仕様書作成装置及びプログラムに関する。
【背景技術】
【０００２】
一般的に、システム開発等のプロジェクトでは、各工程で仕様書が作成される。プロジェクトの各メンバーは、仕様書を参照することにより、各工程で開発すべきシステムの機能等に関して、共通の理解や認識を得ることができる。
【０００３】
従来、この種の仕様書には、システムの仕様に関連する情報が主に記述され、設計者の設計意図（設計趣旨、設計根拠）等は記述されないのが一般的である。そのため、仕様書を元に複数のメンバーで設計内容のレビューを行う場合、別途、設計者から設計意図の説明を受ける必要などが生じ、そのための多くの時間が割かれ、レビューにおける本来の議論が不十分になってしまうという問題があった。
【０００４】
例えば、仕様書に設計趣旨を必ず記載するというルールを作り、全メンバーがこのルールを遵守すれば、上記の問題は解決する。しかし、入力のし忘れ等、メンバーがルールを遵守する保証は無いため、確実性に乏しく、依然として上記の問題は残ったままである。
【０００５】
設計趣旨を提示する技術に関し、例えば、特許文献１には、設計書（仕様書）に記述されている設計項目同士の依存関係を設計趣旨として表示するシステムについて記載されている。
【先行技術文献】
【特許文献】
【０００６】
【特許文献１】特開２０１１−２１５９９１号公報
【発明の概要】
【発明が解決しようとする課題】
【０００７】
特許文献１に記載のシステムでは、設計書（仕様書）内の設計項目同士の依存関係を示す情報が表示されるだけであり、設計趣旨として適切な情報がユーザに提供されているとは言い難く、上記の問題を解決することはできない。
【０００８】
本発明は、上記実情に鑑みてなされたものであり、仕様書の作成時における設計趣旨の入力を支援する仕様書作成装置及びプログラムを提供することを目的とする。
【課題を解決するための手段】
【０００９】
上記目的を達成するため、本発明の仕様書作成装置は、
仕様書を作成するための編集画面を表示する編集画面表示手段と、
前記編集画面内で項目が作成された際に、該項目の設計趣旨を入力するための設計趣旨入力欄を前記編集画面に重畳して表示する設計趣旨入力欄表示手段と、
前記編集画面上で編集した仕様書を保存する際に、前記設計趣旨入力欄に入力された設計趣旨を示す設計趣旨データを、対応する前記項目毎に記憶する設計趣旨記憶手段と、
を備えることを特徴とする。
【発明の効果】
【００１０】
本発明によれば、仕様書を作成するための編集画面に項目を作成した際に設計趣旨入力欄が表示される。従って、設計趣旨の入力について、ユーザの注意を喚起させることができ、入力し忘れ等を防止することができる。
【図面の簡単な説明】
【００１１】
【図１】本発明の実施形態に係る仕様書作成装置の構成を示すブロック図である。
【図２】編集画面上の仕様書の例を示す図である。
【図３】評価視点別チェックリストを説明するための図である。
【図４】評価視点別チェックリストと設計趣旨入力エリアとを表示しない場合に表示される編集画面上の仕様書の例を示す図である。
【図５】実施形態の外部設計仕様書作成処理の手順を示すフローチャートである。
【図６】実施形態の外部設計仕様書作成処理で作成される仕様書の例を示す図である。
【図７】実施形態の内部設計仕様書作成処理の手順を示すフローチャートである。
【図８】実施形態の内部設計仕様書作成処理で作成される仕様書の例を示す図である。
【図９】実施形態の仕様書表示処理の手順を示すフローチャートである。
【図１０】システム設計仕様書の例を示す図である。
【発明を実施するための形態】
【００１２】
以下、本発明の実施形態について、図面を参照しながら詳細に説明する。なお、図中同一または相当部分には同一符号を付す。
【００１３】
本発明の実施形態に係る仕様書作成装置１について説明する。本発明の実施形態に係る仕様書作成装置１は、システム開発プロジェクト（以下、単にプロジェクトとする）の各工程で仕様書を作成する際に用いられるＰＣ（Personal Computer）等のコンピュータである。
【００１４】
仕様書作成装置１は、図１に示すように、入力部１１と、表示部１２と、記憶部１３と、制御部１４と、を備えて構成される。
【００１５】
入力部１１は、キーボード、マウス等から構成され、ユーザからの操作を受け付け、その操作の内容に応じた信号を制御部１４に送信する。例えば、ユーザは、入力部１１を操作することにより、仕様書を編集することができる。
【００１６】
表示部１２は、液晶ディスプレイ等から構成され、制御部１４の制御に基づいて、仕様書を作成するための編集画面や各種の情報を表示する。
【００１７】
ここで、表示部１２に表示される編集画面上の仕様書について、図２を参照して説明する。なお、図２に示す仕様書は、プロジェクトの外部設計工程で作成される仕様書（外部設計仕様書）である。本実施形態では、仕様書は、項目毎に記載される。各項目は、項目番号と表題とが記載された行から開始され、次の項目の記載が開始される直前の行で終了する。また、各項目は階層構造を有しており、上位項目の中に下位項目が記載されている場合も存在する。例えば、図２に示す仕様書では、２つの大項目「１．追加仕様概要」と「２．ＡＡＡ機能」とが記載されている。また、大項目「１．追加仕様概要」には、２つの中項目「１．１．追加機能」及び「１．２．追加システムコール一覧」が記載されている。また、大項目「２．ＡＡＡ機能」には、２つの中項目「２．１．ＡＡＡ生成」及び「２．２．ＡＡＡへの送信」が記載されている。さらに、これらの各項目の左側には、評価視点別チェックリスト２１〜２６が設けられ、仕様書に重畳して表示されている。また、各項目には、矩形の設計趣旨入力エリア３１〜３６が設けられ、仕様書に重畳して表示されている。なお、各評価視点別チェックリスト２１〜２６、各設計趣旨入力エリア３１〜３６をそれぞれ区別しない場合、単に評価視点別チェックリスト２、設計趣旨入力エリア３と表記する。
【００１８】
仕様書の各項目の左側に設けられている評価視点別チェックリスト２は、この項目がどのような評価視点に基づいて記述されているかを表す。具体的には、評価視点別チェックリスト２は、１０個のチェックボックスから構成され、図３に示すように、各チェックボックスが、機能性、信頼性、使用性、効率性、保守性、移植性、施工性、製造性、コスト、および、納期の評価視点に対応している。ユーザは、評価視点別チェックリスト２でチェックされている箇所を参照することで、どのような評価視点に基づいてその項目が記述されているかを容易に知ることができる。例えば、図２に示す仕様書から、大項目「１．追加仕様概要」は、信頼性とコストとの評価視点に基づいて記述された項目であることがわかる。なお、評価視点別チェックリスト２でチェック対象とする評価視点の種類は任意であり、チェックする評価視点の数も１０以外であってよい。
【００１９】
また、仕様書の各項目に設けられている設計趣旨入力エリア３には、この項目がどのような設計趣旨に基づいて記述されているのかを示すテキストがフリーフォーマットで入力される。ユーザは、設計趣旨入力エリア３の入力内容を確認することで、その項目の設計趣旨を容易に知ることができる。
【００２０】
また、仕様書の右上には、表示ＯＦＦボタン４が設けられる。表示ＯＦＦボタン４が押下されると、図４に示すように、評価視点別チェックリスト２と設計趣旨入力エリア３とが非表示の仕様書に表示が切り替えられる。なお、この場合、仕様書には、表示ＯＦＦボタン４の代わりに表示ＯＮボタン５が設けられる。表示ＯＮボタン５が押下されると、評価視点別チェックリスト２と設計趣旨入力エリア３とが表示される図２に示す仕様書に表示が切り替えられる。なお、仕様書の項目毎に表示ＯＦＦボタン４、表示ＯＮボタン５を設けて、項目毎に評価視点別チェックリスト２や設計趣旨入力エリア３の表示のＯＮ、ＯＦＦを切り替えるようにしてもよい。
【００２１】
図１に戻り、記憶部１３は、いわゆる二次記憶装置（補助記憶装置）としての役割を担い、例えば、ハードディスクドライブやフラッシュメモリ等の読み書き可能な不揮発性の記憶装置である。記憶部１３は、各種の制御プログラムや各プログラム実行時に使用される各種のデータを記憶する。また、記憶部１３は、仕様書格納部１３１と、設計趣旨格納部１３２と、を備える。
【００２２】
仕様書格納部１３１には、プロジェクトの各工程で作成される仕様書のデータ（仕様書データ）が格納される。なお、仕様書データには、仕様書内の項目の項目番号、表題、および、項目間の階層構造等を定義する情報も含まれる。
【００２３】
設計趣旨格納部１３２には、仕様書の各項目毎に、評価視点別チェックリスト２のチェック箇所及び設計趣旨入力エリア３の入力内容を示すデータ（設計趣旨データ）が格納される。
【００２４】
制御部１４は、ＣＰＵ（Central Processing Unit）、ＲＯＭ（Read Only Memory）、ＲＡＭ（Random Access Memory）等から構成され、記憶部１３に記憶されている制御プログラムを実行することにより、仕様書作成装置１全体を制御する。例えば、制御部１４は、ユーザからの仕様書作成の指示に基づいて、仕様書の表示や編集、保存等を行う。
【００２５】
続いて、仕様書作成装置１でプロジェクトの外部設計工程での仕様書（外部設計仕様書）を作成する外部設計仕様書作成処理の動作について、図５のフローチャートを参照して説明する。
【００２６】
ユーザは、仕様書作成装置１の入力部１１を操作して、外部設計仕様書の作成を指示する。この指示に応答して、制御部１４は、仕様書作成用の編集画面を表示部１２に表示する（ステップＳ１０１）。
【００２７】
続いて、ユーザは、入力部１１を操作して、表示された編集画面上で編集操作を行う。制御部１４は、編集操作を検知すると（ステップＳ１０２；Ｙｅｓ）、操作内容に基づいて編集画面上にテキストを表示する等の処理を実行して仕様書を作成する（ステップＳ１０３）。なお、この処理は、一般的な文書作成用のアプリケーションを使用して文書を作成する一般的な処理と実質的に同じである。
【００２８】
また、このような仕様書の作成が行われている間、制御部１４は、編集画面内に新たに項目が作成されたか否かを随時判別している（ステップＳ１０４）。例えば、制御部１４は、行頭から順に項目番号を表す数字とピリオドと項目の表題を表すテキストとが入力され、その行の改行が行われた場合に、項目が作成されたと判別する。若しくは、文書作成用のアプリケーションの項目自動生成機能を用いて仕様書が作成されている場合、制御部１４は、このアプリケーションと連携して項目の自動生成を検知することにより、この判別を行ってもよい。
【００２９】
新たに項目が作成されたと判別すると（ステップＳ１０４；Ｙｅｓ）、制御部１４は、作成された項目の左側に評価視点別チェックリスト２を表示するとともに、次行に設計趣旨入力エリア３を表示する（ステップＳ１０５）。これにより、ユーザは、作成した項目に対して、評価視点別のチェックや、設計趣旨の入力を行うことが可能となる。なお、新たに作成された項目が中項目である場合、制御部１４は、チェック箇所を上位の大項目から引き継いだ状態の評価視点別チェックリスト２を作成する。なお、この引き継いだ状態の評価視点別チェックリスト２は、ユーザが後から自由にチェック箇所を編集可能である。また、初めて評価視点別チェックリスト２と設計趣旨入力エリア３とを作成する場合、制御部１４は、上述した表示ＯＦＦボタン４を表示する。
【００３０】
ここで、ステップＳ１０５の処理について具体例を挙げて説明する。例えば、図６（Ａ）に示すように、編集画面上に新たに大項目「１．追加仕様概要」が作成された場合を考える。この場合、ステップＳ１０５の処理により、この大項目に対して、評価視点別チェックリスト２１と設計趣旨入力エリア３１とが新たに作成され、編集画面は図６（Ｂ）に示す状態となる。
【００３１】
また、その後、図６（Ｃ）に示すように中項目「１．１．追加機能」が作成された場合を考える。この場合、ステップＳ１０５の処理により、この中項目に対して、評価視点別チェックリスト２２と設計趣旨入力エリア３２とが新たに作成され、編集画面は図６（Ｄ）に示す状態となる。なお、この場合、新たに作成された評価視点別チェックリスト２２のチェック箇所は、大項目の評価視点別チェックリスト２から引き継がれた状態（後からチェック箇所を編集可）となる。
【００３２】
図５に戻り、仕様書の作成が完了すると、ユーザは、入力部１１を介して、図示せぬ保存ボタンをクリックする等して仕様書の保存を指示する。仕様書の保存の指示を受けて（ステップＳ１０６；Ｙｅｓ）、制御部１４は、編集画面の項目毎に設けた全ての評価視点別チェックリスト２と設計趣旨入力エリア３とで、何らかのチェック又は入力がなされているか否かを判別する（ステップＳ１０７）。
【００３３】
全ての評価視点別チェックリスト２と設計趣旨入力エリア３とで、何らかのチェック又は入力がなされていると判別すると（ステップＳ１０７；Ｙｅｓ）、制御部１４は、編集画面上で作成された仕様書の仕様書データを仕様書格納部１３１に保存する（ステップＳ１０８）。そして、制御部１４は、作成した仕様書の項目毎に、評価視点別チェックリスト２のチェック箇所及び設計趣旨入力エリア３の入力内容を示す情報を設計趣旨格納部１３２に保存する（ステップＳ１０９）。
【００３４】
一方、１箇所もチェックされていない評価視点別チェックリスト２や未入力の設計趣旨入力エリア３がある場合（ステップＳ１０７；Ｎｏ）、制御部１４は、その旨を報知するための警告メッセージをポップアップウインドウ等で表示部１２に表示し（ステップＳ１１０）、仕様書の保存は実行されない。そして、処理はステップＳ１０２に移る。なお、警告メッセージを表示した後に、仕様書データの保存（ステップＳ１０９）を強制的に実行し、次にこの仕様書の編集を開始した際に、警告メッセージを再度表示してもよい。
【００３５】
続いて、プロジェクトの内部設計工程における仕様書（内部設計仕様書）を作成する内部設計仕様書作成処理の動作について、図７のフローチャートを参照して説明する。なお、内部設計仕様書は、外部設計仕様書を基礎に作成される仕様書であり、外部設計仕様書の各項目についてより詳細な情報が記載される。本実施形態では、外部設計仕様書の大項目毎に、内部設計仕様書が作成される。
【００３６】
ユーザは、仕様書作成装置１の入力部１１を操作して、外部設計仕様書の大項目の１つを指定し、その大項目に対する内部設計仕様書の作成を指示する。この指示に応答して、制御部１４は、仕様書格納部１３１に格納されている外部設計仕様書の仕様書データを解析して、指定された大項目とこの大項目に含まれる中項目の項目番号と表題とを取得する（ステップＳ２０１）。
【００３７】
続いて、制御部１４は、指定された大項目とこの大項目に含まれる中項目の評価視点別チェックリスト２のチェック箇所と設計趣旨入力エリア３の入力内容とを設計趣旨格納部１３２から取得する（ステップＳ２０２）。
【００３８】
そして、制御部１４は、ステップＳ２０１及びステップＳ２０２で取得した情報を記載した状態の編集画面を表示部１２に表示させる（ステップＳ２０３）。
【００３９】
例えば、図２に示す外部仕様書の大項目「１．追加仕様概要」に対する内部設計仕様書を作成する場合を考える。この場合、ステップＳ２０１では、この大項目「１．追加仕様概要」、および、この大項目に含まれる中項目「１．１．追加機能」、「１．２．追加システムコール一覧」の項目番号と表題とが取得される。また、ステップＳ２０２では、これらの大項目「１．追加仕様概要」と中項目「１．１．追加機能」、「１．２．追加システムコール一覧」に対する評価視点別チェックリスト２のチェック箇所と設計趣旨入力エリア３の入力内容とが取得される。そして、ステップＳ２０３では、これらの情報が予め記載された、図８に示す編集画面が表示部１２に表示される。
【００４０】
図７に戻り、以下は、外部設計仕様書作成処理のステップＳ１０２〜Ｓ１１０と実質的に同じステップが実行され、内部設計仕様書が作成・保存される（ステップＳ２０４〜Ｓ２１２）。
【００４１】
続いて、仕様書作成処理で作成して保存した仕様書を表示する仕様書表示処理について、図９のフローチャートを参照して説明する。
【００４２】
ユーザは、仕様書作成装置１の入力部１１を操作して、表示する仕様書の指定と、この仕様書の設計趣旨を表示するか否かの指定とを行い、仕様書の表示を指示する。
【００４３】
この指示に応答して、制御部１４は、設計趣旨の非表示が指定されている場合は（ステップＳ３０１；Ｎｏ）、指定されている仕様書の仕様書データを仕様書格納部１３１から取得する（ステップＳ３０２）。そして、制御部１４は、取得した仕様書データが示す仕様書を表示部１２に表示し（ステップＳ３０３）、仕様書表示処理は終了する。
【００４４】
一方、設計趣旨の表示が指定されている場合（ステップＳ３０１；Ｙｅｓ）、制御部１４は、指定されている仕様書の仕様書データとこの仕様書の各項目の設計趣旨（評価視点別チェックリスト２のチェック箇所と設計趣旨入力エリア３の入力内容）とを、仕様書格納部１３１と設計趣旨格納部１３２とから取得する（ステップＳ３０４）。そして、制御部１４は、取得した設計趣旨が反映（入力）された評価視点別チェックリスト２及び設計趣旨入力エリア３を項目毎に配置した仕様書を表示部１２に表示し（ステップＳ３０５）、仕様書表示処理は終了する。なお、その後、ユーザからの指示に応じて、表示した仕様書を図示せぬプリンタ等を用いて印刷してもよい。
【００４５】
このように、本実施形態に係る仕様書作成装置１によれば、仕様書を作成するための編集画面に項目を作成した際に、この項目の設計趣旨を入力するための設計趣旨入力欄（評価視点別チェックリスト２、設計趣旨入力エリア３）が表示される。そのため、設計趣旨の入力について、ユーザの注意を喚起させることができ、入力し忘れ等を防止することができる。
【００４６】
その結果、プロジェクトのメンバーが、このようにして作成された設計仕様書を用いてレビューを行いシステムの仕様変更等について検討をする場合、設計趣旨入力欄を参照することで、容易に項目の設計趣旨を把握することが可能となる。従って、より有意義なレビューを行うことが可能となり、プロジェクトのコストを抑えたり、開発するシステムの品質の向上等を図ることができる。
【００４７】
また、本実施形態によれば、仕様書を作成する際、基礎とする仕様書が既に作成されている場合、その仕様書の対応する項目の入力内容を引き継いだ設計趣旨入力欄が最初に編集画面に表示される。従って、ユーザが仕様書を作成する手間を軽減することも可能となる。
【００４８】
また、本実施形態によれば、表示した設計趣旨入力欄にユーザが何ら入力を行わなかった場合、仕様書を保存する際に警告メッセージが表示される。従って、仕様書内の各項目に対する設計趣旨の入力を確実に行わせることが可能となる。
【００４９】
また、本実施形態によれば、編集画面上で、設計趣旨入力欄の表示・非表示を切り替えることができるため、効率良く仕様書の編集を行うことが可能となる。
【００５０】
また、本実施形態によれば、設計趣旨入力欄に入力された設計趣旨は、設計仕様書の項目と対応付けられて仕様書データとは別途に保存される。そのため、仕様書のフォーマットがエンドユーザ等によって決められている場合であっても、設計趣旨入力欄を除いた形式で仕様書を納品することができる。
【００５１】
なお、本発明は、上記実施形態に限定されず、本発明の要旨を逸脱しない部分での種々の修正は勿論可能である。
【００５２】
例えば、上記実施形態では、仕様書作成装置１が作成する仕様書として、外部設計仕様書と内部設計仕様書とを例に説明したが、様々な種類の仕様書の作成に本発明は適用可能である。例えば、仕様書作成装置１は、プロジェクトのテスト工程で作成される仕様書（例えば、システムテスト仕様書、単体テスト仕様書）を作成してもよい。図１０は、仕様書作成装置１により作成されたシステムテスト仕様書の例を示した図であり、表形式の仕様書となっている。また、この例では、仕様書には評価視点別チェックリスト２のみが設けられており、設計趣旨入力エリア３は設けられていない。また、項目欄には、図２に示す外部設計仕様書から引き継いだ項目番号、表題が入力されている。
【００５３】
例えば、仕様書作成装置１は、仕様書の種類毎に記載すべき項目の項目番号や表題等が予め定義されたフォーマット情報を使用して、仕様書を作成してもよい。具体的には、仕様書作成装置１の制御部１４は、仕様書の作成が指示された際に、対応するフォーマット情報を読み込み、定義された各項目の項目番号や表題が記載され、項目に対する設計趣旨入力欄が作成された状態の編集画面を最初に表示してもよい。
【００５４】
また、上記実施形態では、設計趣旨入力欄として、評価視点別チェックリスト２と設計趣旨入力エリア３とを表示したが、何れか一方のみを表示して、ユーザに設計趣旨の入力を促すようにしてもよい。また、設計趣旨入力欄を、設計趣旨を複数から１つ選択させるリストボックス等にしてもよく、ユーザが設計趣旨を入力できるものであれば、設計趣旨入力欄として種々の形式が採用可能である。
【００５５】
また、上記実施形態では、システム開発を行うプロジェクトの仕様書を作成する例について説明したが、ハードウェア開発を行うプロジェクトの仕様書の作成にも本発明は適用可能である。
【００５６】
また、例えば、本実施形態に係る仕様書作成装置１の動作を規定する動作プログラムを既存のパーソナルコンピュータや情報端末機器等に適用することで、当該パーソナルコンピュータ等を本発明に係る仕様書作成装置１として機能させることも可能である。
【００５７】
また、このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【符号の説明】
【００５８】
１  仕様書作成装置、１１  入力部、１２  表示部、１３  記憶部、１３１  仕様書格納部、１３２  設計趣旨格納部、１４  制御部、２  評価視点別チェックリスト、３  設計趣旨入力エリア、４  表示ＯＦＦボタン、５  表示ＯＮボタン
【図１】
2015005163.tif 000003
【図２】
2015005163.tif 000004
【図３】
2015005163.tif 000005
【図４】
2015005163.tif 000006
【図５】
2015005163.tif 000007
【図６】
2015005163.tif 000008
【図７】
2015005163.tif 000009
【図８】
2015005163.tif 000010
【図９】
2015005163.tif 000011
【図１０】
2015005163.tif 000012